(57)【要約】視野像の複数の深さを可能にするニアアイディスプレイ表示方法であって、コリメータを照明するために自発光ディスプレイ上の１つまたは複数の単一の画素、または複数の画素を含む画素群によって光を放出することで、コリメータを通る入射光が平行化可能になること（１０１）と、コリメータを通る２つの光ビームのコリメート光の方向がコリメート光方向変更ユニットによって変更可能になるようにして、光ビームが、焦点を合わせかつ視野の深さを変更するように異なる場所で交差する（１０２）ことによって、視野像の複数の深さの目的を実現するために、コリメータの光ビームの光方向経路上に少なくとも１つのコリメート光方向変更ユニットを設けることと、を含む、ニアアイディスプレイ表示方法が提供される。【選択図】図１
2021521494.tif 000002
【特許請求の範囲】
【請求項１】
視野像の複数の深さを可能にするニアアイディスプレイ表示方法であって、
自発光ディスプレイの１つまたは複数の画素が光をコリメータに放出することで前記コリメータを通る前記光がコリメート光を形成するように平行化されるステップと、
少なくとも２つの画素からの前記コリメート光が、視野の深さを変えるように異なる場所で交差し、かつ焦点を合わせることを可能にするように前記コリメート光の方向を変更するために前記コリメータからの前記光の経路上に少なくとも１つのコリメート光方向変更ユニットを設けるステップと、を含むことを特徴とする、
視野像の複数の深さを可能にするニアアイディスプレイ表示方法。
【請求項２】
前記自発光ディスプレイは、有機発光ダイオード、微小発光ダイオード、量子ドット発光体、またはレーザを含む活性光源を備えることを特徴とする、請求項１に記載の視野像の複数の深さを可能にするニアアイディスプレイ表示方法。
【請求項３】
前記自発光ディスプレイは透明ディスプレイまたは不透明ディスプレイであることを特徴とする、請求項１に記載の視野像の複数の深さを可能にするニアアイディスプレイ表示方法。
【請求項４】
前記コリメータは、マイクロレンズ、平面メタレンズ、または液晶空間光変調器であることを特徴とする、請求項１に記載の視野像の複数の深さを可能にするニアアイディスプレイ表示方法。
【請求項５】
前記平面メタレンズは光の方向を平行化するためのジオプターレンズの機能を有することを特徴とする、請求項４に記載の視野像の複数の深さを可能にするニアアイディスプレイ表示方法。
【請求項６】
前記液晶空間光変調器は複数の液晶セルを備え、前記液晶セル内の液晶の配列は、各画素からの入射光の方向が平行化されるように、前記液晶セルに加えられる駆動電圧を変えることによって変更可能であることを特徴とする、請求項４に記載の視野像の複数の深さを可能にするニアアイディスプレイ表示方法。
【請求項７】
前記コリメート光方向変更ユニットは、マイクロレンズ、平面メタレンズ、または液晶空間光変調器であることを特徴とする、請求項１に記載の視野像の複数の深さを可能にするニアアイディスプレイ表示方法。
【請求項８】
前記マイクロレンズによって、少なくとも２つのコリメート光が交差し、かつ焦点を合わせることが可能になることを特徴とする、請求項７に記載の視野像の複数の深さを可能にするニアアイディスプレイ表示方法。
【請求項９】
前記平面メタレンズは、少なくとも２つのコリメート光が交差し、かつ焦点を合わせることを可能にするためのバンプを有する複数の部位を含むことを特徴とする、請求項７に記載の視野像の複数の深さを可能にするニアアイディスプレイ表示方法。
【請求項１０】
バンプを有する２つの異なる部位を利用して、少なくとも２つのコリメート光が、視野の複数の深さを有する画像を作るために種々の場所で交差し、かつ焦点を合わせることを可能にすることを特徴とする、請求項９に記載の視野像の複数の深さを可能にするニアアイディスプレイ表示方法。
【請求項１１】
バンプを有する部位を利用して、少なくとも２つのコリメート光が、視野の複数の深さを有する画像を作るために種々の場所で交差し、かつ焦点を合わせることを可能にすることを特徴とする、請求項９に記載の視野像の複数の深さを可能にするニアアイディスプレイ表示方法。
【請求項１２】
前記液晶空間光変調器は複数の液晶セルを備え、前記液晶セル内の液晶の配列は、前記コリメート光の方向を変更し、かつ少なくとも２つのコリメート光が交差し、かつ焦点を合わせることを可能にするように、前記液晶セルに加えられる駆動電圧を変えることによって変更可能であることを特徴とする、請求項７に記載の視野像の複数の深さを可能にするニアアイディスプレイ表示方法。
【請求項１３】
少なくとも２つの液晶セルの前記駆動電圧は、少なくとも２つのコリメート光が、視野の複数の深さを有する画像を作るために種々の場所で交差し、かつ焦点を合わせることを可能にするために変更可能であることを特徴とする、請求項１２に記載の視野像の複数の深さを可能にするニアアイディスプレイ表示方法。
【請求項１４】
少なくとも１つの液晶セルの前記駆動電圧は、少なくとも２つのコリメート光が、視野の複数の深さを有する画像を作るために種々の場所で交差し、かつ焦点を合わせることを可能にするために変更可能であることを特徴とする、請求項１２に記載の視野像の複数の深さを可能にするニアアイディスプレイ表示方法。
【請求項１５】
前記画素は、単一の画素、または、複数の画素を含む画素群であることを特徴とする、請求項１に記載の視野像の複数の深さを可能にするニアアイディスプレイ表示方法。
【発明の詳細な説明】
【技術分野】
【０００１】
本発明は、視野像の複数の深さを可能にするニアアイディスプレイ表示方法に関し、より詳細には、出力像が視野の複数の深さを有するように、任意の２つの画素によって放出される光を種々の場所で交差させかつ焦点を作らせることが可能なニアアイディスプレイ表示方法に関する。
【背景技術】
【０００２】
リアルタイム情報に対する要求が増大するにつれて、オンデマンドデータ伝送の重要性も大きくなっている。ニアアイディスプレイ（ＮＥＤ）は、携帯型であることが多く、他のデバイスに容易に組み込み可能であり、かつ、画像、色、テキスト、および／または音声データをいつでも送信可能であるため、主に、携帯情報機器またはオンデマンドデータ伝送の目的として選ばれる。
ニアアイディスプレイは、従来軍用または官用に実装されることが多かった。しかし現在は、ニアアイディスプレイ産業は、消費者部門での拡大を求めている。同時に、娯楽産業もニアアイディスプレイの市場潜在力を見出しており、例えば、家庭用娯楽システムおよびゲームソフト開発者は、ニアアイディスプレイの研究および開発に取り組んでいる。
【０００３】
現在、典型的なニアアイディスプレイは、画像をユーザの目に直接投影できるヘッドマウントディスプレイ（ＨＭＤ）を含む。このタイプのディスプレイは、より大きいディスプレイをエミュレートして、モバイルデバイスにおけるディスプレイの欠点を克服することが可能である。ヘッドマウントディスプレイはまた、仮想現実または拡張現実の使用に適用可能である。
【０００４】
ニアアイディスプレイは、さらに、２つのタイプ、没入型ディスプレイおよびシースルーディスプレイに分類可能である。仮想現実（ＶＲ）環境では、没入型ディスプレイは、合成画像がユーザの視野を完全に覆うことを可能にするように実装可能である。拡張現実（ＡＲ）環境では、シースルーディスプレイが実装されることで、テキスト、注記、または画像は、実像と重ね合わせられ得る。拡張現実ディスプレイ技術の分野では、シースルーディスプレイにおいて（光学または電気工学手段によって実装される）透明パネルが使用されることが多い。これによって、ニアアイディスプレイのユーザは、仮想画像および実像の両方を同時に見ることが可能になる。
【０００５】
しかしながら、人間の目は非常に近い距離に置かれた物体に焦点を合わせることが不可能であるため（例えば、ユーザが眼鏡をかけ、かつ読書補助具として拡大鏡を使用する時、拡大鏡および眼鏡の範囲内の距離は「近距離」とみなされる）、その結果、ニアアイディスプレイは、ユーザに快適な使用体験を提供するように、焦点の合っていない画像を回避するために較正かつ調節される必要がある。従来のニアアイディスプレイは、画像の焦点を調節するために複雑で重い光学アセンブリに頼るが、ニアアイディスプレイは通常、ユーザの頭に装着されるため、ニアアイディスプレイが重くなると、ユーザは順応不可能であることが多い。
【０００６】
上記の欠点を克服するために、少なくとも２つの別個の画素によって放出される少なくとも２つの光ビームが鮮明な画像を生じさせるように交差し、かつ焦点が合わせられ得る場合、重い光学アセンブリはもはや不必要になり、さらに、光学アセンブリに起因する製造費はなくなる。
【発明の概要】
【発明が解決しようとする課題】
【０００７】
本発明は、製造費を低減し、かつ表示効率を高める、視野像の複数の深さを可能にするニアアイディスプレイ表示方法を提供する。本発明は、任意の２つの画素によって放出される光が種々の場所で交差し、かつ焦点を作ることを可能にすることで、出力像が視野の複数の深さを有するようにする。
【課題を解決するための手段】
【０００８】
前述の目的を実現するために、本発明は、視野像の複数の深さを可能にするニアアイディスプレイ表示方法であって、自発光ディスプレイの１つまたは複数の画素が光をコリメータに放出することでコリメータを通る光がコリメート光を形成するように平行化されるステップと、少なくとも２つの画素からのコリメート光が、視野の深さの変更を生じさせるように異なる場所で交差し、かつ焦点を合わせることを可能にするようにコリメート光の方向を変更するためにコリメータからの光の経路上に少なくとも１つのコリメート光方向変更ユニットを設けるステップと、を含むことを特徴とする、ニアアイディスプレイ表示方法を開示する。
【０００９】
本発明のいくつかの実施形態では、自発光ディスプレイは、有機発光ダイオード、微小発光ダイオード、量子ドット発光体、またはレーザを含む活性光源を備える。
【００１０】
本発明のいくつかの実施形態では、自発光ディスプレイは透明ディスプレイまたは不透明ディスプレイである。
【００１１】
本発明のいくつかの実施形態では、コリメータは、マイクロレンズ、平面メタレンズ、または液晶空間光変調器である。
【００１２】
本発明のいくつかの実施形態では、平面メタレンズは光の方向を平行化するためのジオプターレンズの機能を有する。
【００１３】
本発明のいくつかの実施形態では、液晶空間光変調器は複数の液晶セルを備え、液晶セル内の液晶の配列は、各画素からの入射光の方向が平行化されるように、液晶セルに加えられる駆動電圧を変えることによって変更可能である。
【００１４】
本発明のいくつかの実施形態では、コリメート光方向変更ユニットは、マイクロレンズ、平面メタレンズ、または液晶空間光変調器である。
【００１５】
本発明のいくつかの実施形態では、マイクロレンズによって、少なくとも２つのコリメート光が交差し、かつ焦点を合わせることが可能になる。
【００１６】
本発明のいくつかの実施形態では、平面メタレンズは、少なくとも２つのコリメート光が交差し、かつ焦点を合わせることを可能にするためのバンプを有する複数の部位を含む。
【００１７】
本発明のいくつかの実施形態では、バンプを有する２つの異なる部位を利用して、少なくとも２つのコリメート光が、視野の複数の深さを有する画像を作るために種々の場所で交差し、かつ焦点を合わせることを可能にする。
【００１８】
本発明のいくつかの実施形態では、バンプを有する部位を利用して、少なくとも２つのコリメート光が、視野の複数の深さを有する画像を作るために種々の場所で交差し、かつ焦点を合わせることを可能にする。
【００１９】
本発明のいくつかの実施形態では、液晶空間光変調器は複数の液晶セルを備え、液晶セルにおける液晶の配列は、コリメート光の方向を操作し、かつ少なくとも２つのコリメート光が交差し、かつ焦点を合わせることを可能にするように、液晶セルに加えられる駆動電圧を変えることによって変更可能である。
【００２０】
本発明のいくつかの実施形態では、少なくとも２つの液晶セルの駆動電圧は、少なくとも２つのコリメート光が、視野の複数の深さを有する画像を作るために種々の場所で交差し、かつ焦点を合わせることを可能にするために変更可能である。
【００２１】
本発明のいくつかの実施形態では、少なくとも１つの液晶セルの駆動電圧は、少なくとも２つのコリメート光が、視野の複数の深さを有する画像を作るために種々の場所で交差し、かつ焦点を合わせることを可能にするために変更可能である。
【００２２】
本発明のいくつかの実施形態では、画素は、単一の画素、または、複数の画素を含む画素群である。
【００２３】
本発明による、視野像の複数の深さを可能にするニアアイディスプレイ表示方法は、先行技術に対して以下の利点を有する。
１．本発明は、２つ以上の画素によって放出された光が、種々の場所で交差して焦点を作ることを可能にすることで、出力像が視野の複数の深さを有する効果を示すようにする。前述の画素は、単一の画素、または、複数の画素を含む画素群である。
２．本発明による液晶空間光変調器は、コリメート光の方向を直接調節できるため、２つの画素によって放出される光を使用して種々の場所に焦点を作るために画素の位置を移動させる必要はない。すなわち、２つの画素によって放出される光は種々の場所で交差し、かつ種々の焦点を作ることが可能である。過剰な光学素子を使用することに起因する費用をなくすことが可能である。
【図面の簡単な説明】
【００２４】
【図１】本発明による、視野像の複数の深さを可能にするニアアイディスプレイ表示方法の概略的なフロー図である。
【図２Ａ】本発明の第１の実施形態による、視野像の複数の深さを可能にするニアアイディスプレイ表示方法の概略的なアーキテクチャ図である。
【図２Ｂ】本発明の第１の実施形態による、視野像の複数の深さを可能にするニアアイディスプレイ表示方法の模式図である。
【図３Ａ】本発明の第２の実施形態による、視野像の複数の深さを可能にするニアアイディスプレイ表示方法の概略的なアーキテクチャ図である。
【図３Ｂ】本発明の第２の実施形態による、視野像の複数の深さを有するニアアイディスプレイ表示方法の模式図である。
【図４Ａ】本発明の第３の実施形態による、視野像の複数の深さを可能にするニアアイディスプレイ表示方法の概略的なアーキテクチャ図である。
【図４Ｂ】本発明の第３の実施形態による、視野像の複数の深さを可能にするニアアイディスプレイ表示方法の模式図である。
【図５Ａ】本発明の視野像の複数の深さを可能にするニアアイディスプレイ表示方法による、視野の複数の深さの概念を示す模式図である。
【図５Ｂ】本発明の視野像の複数の深さを可能にするニアアイディスプレイ表示方法による、視野の複数の深さの概念を示す別の模式図である。
【図６Ａ】本発明の視野像の複数の深さを可能にするニアアイディスプレイ表示方法の別の実施形態による、視野の複数の深さの概念を示す模式図である。
【図６Ｂ】本発明の視野像の複数の深さを可能にするニアアイディスプレイ表示方法の別の実施形態による、視野の複数の深さの概念を示す別の模式図である。
【発明を実施するための形態】
【００２５】
本発明の実施形態について、ここで、例としてのみ、添付の図面を参照して説明する。
【００２６】
図１は、本発明による、視野像の複数の深さを可能にするニアアイディスプレイ表示方法のフロー図であり、方法は、以下のステップを含む。
ステップ１０１：自発光ディスプレイの１つまたは複数の画素が光をコリメータに放出することでコリメータを通る光が平行化されるステップ
ステップ１０２：少なくとも２つの画素からのコリメート光が、視野の深さを変えるように異なる場所で交差し、かつ焦点を合わせることを可能にするようにコリメート光の方向を変更するためにコリメータからの光の経路上に少なくとも１つのコリメート光方向変更ユニットを設けるステップ
【００２７】
前述の方法において、自発光ディスプレイ１は自発光を可能にする技術を利用し、自発光ディスプレイ１は、透明ディスプレイまたは不透明ディスプレイであってよい。自発光ディスプレイ１は、有機発光ダイオード（ＯＬＥＤ）、微小発光ダイオード（マイクロＬＥＤ）、量子ドット発光体、またはレーザなどの活性光源を備えてよい。
【００２８】
コリメータは、マイクロレンズ、液晶空間光変調器（ＬＣＳＬＭ）、または平面メタレンズであってよい。以下では、種々のタイプのコリメータについてさらに説明する。
（１）マイクロレンズ：図２Ａに示されるように、マイクロレンズ２は、自発光ディスプレイ１によって放出される光の光路上にある。動作中、図２Ｂに示されるように、自発光ディスプレイ１の少なくとも１つの画素１１からの入射光の方向は平行化される。
（２）液晶空間光変調器（ＬＣＳＬＭ）：図３Ａに示されるように、液晶空間光変調器３は複数の液晶セル３１を備え、自発光ディスプレイ１上の少なくとも１つの画素１１が入射光を放出する時、図３Ｂに示されるように、少なくとも１つの画素１１の入射光を受ける液晶セル３１のうちの１つの駆動電圧は、少なくとも１つの画素１１からの入射光が平行化されるように変更可能である（液晶の位相を変えるために液晶セル３１の駆動電圧を変更する既知の技術はここでは省略される）。
（３）平面メタレンズ：図４Ａに示されるように、平面メタレンズ４はバンプを有する複数の部位４１を備え、動作中、図４Ｂに示されるように、画素１１のうちの１つからの入射光は部位４１のうちの１つによって平行化可能である（平面メタレンズ４が光に影響を与えて異なる方向に進むようにし得るという事実は、当技術分野では周知であるため、ここではさらなる説明は省略される）。本明細書に説明される平面メタレンズは、光を屈折させ、かつコリメート光の方向を変更する機能を果たすナノバンプを含有するメタ表面である。
【００２９】
コリメート光方向変更ユニットは、マイクロレンズ、液晶空間光変調器（ＬＣＳＬＭ）、または平面メタレンズである。以下では、種々のタイプのコリメート光方向変更ユニットについてさらに説明する。
（１）マイクロレンズ：
Ａ．マイクロレンズ２の構造は図２Ａに示されており、マイクロレンズ２を利用して、少なくとも２つのコリメート光が仮想画像を作るために交差し、かつ焦点を合わせることを可能にする。
Ｂ．２つの異なるマイクロレンズ２を利用して、２つのコリメート光が交差できるようにし、別のマイクロレンズ２を利用して、別のコリメート光が、視野の複数の深さを有する画像を生じさせるために異なる場所で交差し、かつ焦点を合わせることを可能にする。
（２）液晶空間光変調器（ＬＣＳＬＭ）：
Ａ．液晶空間光変調器３の構造は図３Ａに示されている。液晶空間光変調器３の構造は複数の液晶セル３１を備え、コリメート光の方向を変更する動作原理は、２つの画素１１の入射光（コリメート光）を受ける液晶セル３１のうちの１つの駆動電圧を変更することで、少なくとも２つの入射光（コリメート光）の方向は変更されて、少なくとも２つの入射光（コリメート光）を交差させかつ仮想画像の焦点を作らせる。
Ｂ．少なくとも２つの異なる液晶セル３１の駆動電圧は、視野の複数の深さを有する画像を生じさせるために、２つのコリメート光が異なる場所で交差し、かつ焦点を作るように変更される。
Ｃ．液晶セル３１の駆動電圧は一定のままであり、少なくとも別の異なる液晶セル３１の駆動電圧は、視野の複数の深さを有する画像を生じさせるために、２つのコリメート光が異なる場所で交差し、かつ焦点を作るように変更される。
（３）平面メタレンズ：
Ａ．平面メタレンズ４の構造は図４Ａに示されている。平面メタレンズ４は、少なくとも２つのコリメート光が、仮想画像を生じさせるために交差し、かつ焦点を作ることを可能にする。
Ｂ．バンプを有する２つの異なる部位４１を利用して、２つのコリメート光が、視野の複数の深さを有する画像を生じさせるために、それぞれ、種々の場所で交差して焦点を作ることを可能にする。
Ｃ．バンプを有する異なる部位４１を利用して、少なくとも２つのコリメート光が、視野の複数の深さを有する画像を作るために、種々の場所で交差し、かつ焦点を合わせることを可能にする。
【００３０】
視野の複数の深さを有する画像を生成する時、コリメータおよびコリメート光方向変更ユニットの種々の組み合わせが使用可能である。この組み合わせについて、以下のように説明する。
（１）マイクロレンズはコリメータとして使用され、マイクロレンズ、液晶空間光変調器（ＬＣＳＬＭ）、または平面メタレンズはコリメート光方向変更ユニットとして使用される。
（２）液晶空間光変調器はコリメータとして使用され、同液晶空間光変調器はコリメート光方向変更ユニットとして使用される。
（３）平面メタレンズはコリメータとして使用され、同平面メタレンズはコリメート光方向変更ユニットとして使用される。
（４）平面メタレンズはコリメータとして使用され、マイクロレンズ、液晶空間光変調器、または平面メタレンズは、コリメート光方向変更ユニットとして使用される。
【００３１】
図５Ａに示されるように、コリメータはマイクロレンズ２であり、コリメート光方向変更ユニットは液晶空間光変調器３である。マイクロレンズ２が自発光ディスプレイの２つの画素１１からの光を平行化した後、液晶空間光変調器３の液晶セル３１のうちの１つは、画素１１の１つまたは複数からの光の方向を調節することで、２つの画素１１の光は拡張し、かつ仮想画像５１を形成できる。
図５Ｂに示されるように、液晶セル３１のうちの１つの位相は、コリメート光の方向を変えるために変更され得、それによって、２つの画素の光は、視野の深さを拡張するように別の仮想画像５２を形成するために別の場所で重なり合うことが可能である。前述の方法によって、液晶セル３１の位相は、人間の目６が視野像の複数の深さを実現するように複数の連続した仮想画像を見ることが可能であるように常に調節可能である。
【００３２】
本発明の別の態様では、単一の要素は、光の方向を平行化し、かつ変更するために利用可能である。この説明は以下のようになる。
（１）マイクロレンズ２は、光を直接平行化し、かつコリメート光の方向を変更できる。しかしながら、種々のマイクロレンズがコリメート光の方向を変えることが可能である方向は、マイクロレンズの製造プロセスに従ってあらかじめ定められる。従って、図６Ａに示されるように、２つの別個のマイクロレンズ２によって、２つのコリメート光は、仮想画像５３を生じさせるために交差しかつ焦点を作る。しかしながら、別の仮想画像のための焦点を形成することが必要とされる場合、図６Ｂに示されるように、別のマイクロレンズ２からの光および元のマイクロレンズ２からのコリメート光は、別の仮想画像５４を生じさせるために交差し、かつ別の焦点を作る。
（２）液晶空間光変調器３または平面メタレンズ４を同時に使用して、光を平行化し、かつコリメート光の方向を調節することが可能であり、液晶空間光変調器３の液晶セル３１の駆動電圧は、仮想画像を生じさせるために種々の場所で焦点を作るようにコリメート光の方向を調節するために直接変更可能である。しかしながら、平面メタレンズ４は、仮想画像を生じさせるために種々の場所で焦点を作るようにバンプを有する複数の種々の部位４１を利用することが必要である。
【００３３】
本発明による、視野像の複数の深さを可能にするニアアイディスプレイ表示方法は、先行技術に対する以下の利点を有する。
１．本発明によって、２つ以上の画素によって放出される光は、種々の場所で交差して焦点を作ることで、出力像が視野の複数の深さを有する効果を示すようにする。前述の画素は、単一の画素、または、複数の画素を含む画素群である。
２．本発明による液晶空間光変調器は、コリメート光の方向を直接調節できるため、２つの画素によって放出される光を種々の場所で交差させ、かつ焦点を作ることを可能にするために画素の位置を移動させる必要はない。過剰な光学素子を使用することに起因する費用をなくすことが可能である。
【００３４】
本発明の特定の実施形態は例示の目的で詳細に説明されているが、本発明の趣旨および範囲から逸脱することなく、さまざまな修正および向上がなされてよい。それ故に、本発明は添付の特許請求の範囲によるものを除き限定されることはない。
【図１】
2021521494.tif 000003
【図２Ａ】
2021521494.tif 000004
【図２Ｂ】
2021521494.tif 000005
【図３Ａ】
2021521494.tif 000006
【図３Ｂ】
2021521494.tif 000007
【図４Ａ】
2021521494.tif 000008
【図４Ｂ】
2021521494.tif 000009
【図５Ａ】
2021521494.tif 000010
【図５Ｂ】
2021521494.tif 000011
【図６Ａ】
2021521494.tif 000012
【図６Ｂ】
2021521494.tif 000013
【国際調査報告】
2021521494.tif 000014
2021521494.tif 000015
2021521494.tif 000016
2021521494.tif 000017